(57)【要約】      （修正有）【課題】フレキシブル回路板のためのヒンジ組立体との貫入・組合せ方法及び構造体を開示する。【解決手段】事前形成したフレキシブル回路板２は、事前折り曲げ線を中心線として利用してフレキシブル回路板の接続区分を端子分散区分に向けて折り曲げることによって加工される。次に、接続区分が巻回体を形成するように、接続区分を端子分散区分に向けた方向で巻回する。次に、巻回体がヒンジ組立体１の穴１１を通って完全に通過するように巻回体をヒンジ組立体の穴に通し、それにより、フレキシブル回路板の伸張区分２３は、ヒンジ組立体の穴内に位置決めされ、第１の端部２１及び第２の端部２２はそれぞれ、ヒンジ組立体１の穴１１の両側に置かれる。【選択図】図１
2015019060.tif 000002
【特許請求の範囲】
【請求項１】
フレキシブル回路板をヒンジ組立体の穴に通して貫入する方法であって、前記フレキシブル回路板は、第１の端部、第２の端部、及び前記第１の端部と前記第２の端部との間に伸張方向に伸張する伸張区分を備え、前記伸張区分は、集束構造体を備え、前記集束構造体は、複数の切断線を施して前記フレキシブル回路板を前記伸張方向に切断することによって形成した複数の集束線を備え、前記フレキシブル回路板の前記第１の端部は、端子分散区分及び接続区分を備え、前記端子分散区分は、第１の面及び第２の面を有し、前記接続区分は、前記端子分散区分と前記伸張区分との間に接続され、前記方法は、以下のステップ：
（ａ）前記フレキシブル回路板の前記第１の端部の前記端子分散区分と前記接続区分との間に事前折り曲げ線を形成するステップ；
（ｂ）前記事前折り曲げ線を中心線として用いて、前記接続区分を前記端子分散区分の前記第１の面に向けて折り曲げ、前記接続区分を前記端子分散区分に隣接させるステップ；
（ｃ）前記接続区分が巻回体を形成するように、前記端子分散区分に向けた方向で前記接続区分を巻回させるステップ；
（ｄ）前記巻回体が前記ヒンジ組立体の前記穴を通って完全に通過するように前記巻回体を前記ヒンジ組立体の前記穴に通すステップを含み、
前記フレキシブル回路板の前記伸張区分は、前記ヒンジ組立体の前記穴内に位置決めされ、前記第１の端部及び前記第２の端部はそれぞれ、前記ヒンジ組立体の前記穴の両側に置かれる、
方法。
【請求項２】
前記ステップ（ｃ）の後、前記巻回体を保護スリーブで封入するステップを更に含む、請求項１に記載の方法。
【請求項３】
前記ステップ（ｃ）では、前記接続区分が前記端子分散区分に向けた方向で巻回されると、前記接続区分は、前記端子分散区分の前記第２の面を覆うように巻かれる、請求項１に記載の方法。
【請求項４】
前記ステップ（ｃ）では、前記接続区分が前記端子分散区分に向けた方向で巻回されると、前記接続区分は、前記端子分散区分の前記第１の面を覆うように巻かれる、請求項１に記載の方法。
【請求項５】
前記ステップ（ｄ）の後、前記巻回体を広げて前記接続区分及び前記端子分散区分を平面にするステップを更に含む、請求項１に記載の方法。
【請求項６】
前記フレキシブル回路板の前記第１の面は、互いに離間し、絶縁した複数の導電端子を備える、請求項１に記載の方法。
【請求項７】
前記フレキシブル回路板の前記第２の面は、互いに離間し、絶縁した複数の導電端子を備える、請求項１に記載の方法。
【請求項８】
前記端子分散区分の前記第１の面及び前記第２の面のうち１つは、前記面に取り付けた補強板を備え、前記補強板は、前記事前折り曲げ線として働く側縁部を有する、請求項１に記載の方法。
【請求項９】
前記フレキシブル回路板は、前記フレキシブル回路板における前記端子分散区分と前記接続区分との間に形成した、前記事前折り曲げ線として働く切欠きを備える、請求項１に記載の方法。
【請求項１０】
フレキシブル回路板のヒンジ組立体の穴との貫入・組合せ構造体であって、
前記フレキシブル回路板は、第１の端部と、第２の端部と、及び前記第１の端部と前記第２の端部との間に伸張方向で伸張する伸張区分と、を備え、
前記第１の端部は、端子分散区分及び接続区分を備え、前記端子分散区分は、第１の面及び第２の面を有し、前記接続区分は、前記端子分散区分と前記伸張区分との間に接続され、前記第１の端部は、前記端子分散区分と前記接続区分との間に形成した事前折り曲げ線を備え、前記接続区分に巻回体が形成され、前記巻回体は、前記事前折り曲げ線を中心線として用いて、前記接続区分を前記端子分散区分に向けて巻回することによって形成され、
前記伸張区分は、集束構造体を備え、前記集束構造体は、複数の切断線を施して前記フレキシブル回路板を前記伸張方向で切断することによって形成した複数の集束線を備え、
前記巻回体は、前記ヒンジ組立体の前記穴を通して受け入れられ、それにより、前記フレキシブル回路板の前記伸張区分は、前記ヒンジ組立体の前記穴内に位置決めされ、前記第１の端部及び前記第２の端部はそれぞれ、前記ヒンジ組立体の前記穴の両側に置かれることを特徴とする、
構造体。
【請求項１１】
前記接続区分は、前記端子分散区分の前記第２の面を覆うように巻かれる、請求項１０に記載の構造体。
【請求項１２】
前記接続区分は、前記端子分散区分の前記第１の面を覆うように巻かれる、請求項１０に記載の構造体。
【請求項１３】
前記フレキシブル回路板の前記第１の面は、互いに離間し、絶縁した複数の導電端子を備える、請求項１０に記載の構造体。
【請求項１４】
前記フレキシブル回路板の前記第２の面は、互いに離間し、絶縁した複数の導電端子を備える、請求項１０に記載の構造体。
【請求項１５】
前記端子分散区分の前記第１の面及び前記第２の面のうち１つは、前記面に取り付けた補強板を備え、前記補強板は、前記事前折り曲げ線として働く側縁部を有する、請求項１０に記載の構造体。
【請求項１６】
前記フレキシブル回路板は、前記フレキシブル回路板における前記端子分散区分と前記接続区分との間に形成した、前記事前折り曲げ線として働く切欠きを備える、請求項１０に記載の構造体。
【請求項１７】
前記巻回体を封入する保護スリーブを更に含む、請求項１０に記載の構造体。
【発明の詳細な説明】
【技術分野】
【０００１】
本発明は、フレキシブル回路板とヒンジ組立体とを組み合わせる方法及び構造体に関し、より詳細には、フレキシブル回路板のヒンジ組立体との貫入・組合せを実現する方法及び構造体に関する。
【背景技術】
【０００２】
現在、市場で入手可能な多くの電子デバイス又は通信デバイスは、ヒンジ構造体を用いている。例えば、現在普及している携帯電話の構造設計では、カバー又は画面は、ヒンジ構造体により電話本体に結合されていることが多い。カバー又は画面に電子信号を伝送可能にするために、現在採用されている解決策は、小型フレキシブル・ケーブル製品、又は信号伝送線として働くように一緒に束ねた極薄導体を使用することである。
【０００３】
小型ケーブル、又は信号伝送線として働く極薄導体束を使用する解決策は、信号伝送に対するニーズに適し得るが、ヒンジ構造体の大きさは、依然として更なる小型化を強いられている。このヒンジ構造体の大きさが、携帯電話全体の構造設計に著しい制約を生じさせる。
更に、現代の携帯電話設計又はノートブック・コンピュータの用途では、２次元ヒンジ構造体を１次元ヒンジ構造体と置き換えることに伴って、ヒンジ構造体を通して伝送する必要がある信号はますます多くなり、ヒンジ構造体の大きさは更に小さくすることが要求されており、従来設計のフラット・ケーブルは、もはやニーズに適していない。
【０００４】
そのような条件下で、従来設計のフラット・ケーブルを依然として採用した場合、フラット・ケーブル自体はヒンジ構造体の穴を通って通過することができるが、ヒンジ構造体を含む電子デバイスの動作時に、ヒンジ構造体の動作にフラット・ケーブルが影響することが多い。更に、フラット・ケーブルは、ユーザが起こす回転動作によって過度に動かされて、フラット・ケーブルの個々のワイヤが互いにもつれ、ねじれる。そのような状況では、深刻な場合、フラット・ケーブルのワイヤの一部に損傷を与えるおそれがある。
【０００５】
一部の製造業者は、ヒンジ構造体の穴をＣ字形の孔にして、フレキシブル回路板及びヒンジ構造体の貫入・組合せに対する必要性を克服しているが、このことはヒンジ構造体の穴の構造を複雑にする。
【発明の概要】
【発明が解決しようとする課題】
【０００６】
フレキシブル回路板をヒンジ構造体の穴に通して貫入させる上述の要望を考慮して、本発明の主な目的は、信号伝送フラット・ケーブルのヒンジ構造体との貫入・組合せを実現する方法、及びその組合せ構造体を提供することであり、小型ヒンジ構成要素が含まれる用途、又は多くの信号伝送が望まれる用途に適した方法及び組合せ構造体を提供するようにする。
【課題を解決するための手段】
【０００７】
従来技術デバイスの問題を対処するために本発明が採用する技術的解決策は、事前折り曲げ線を中心線として用いて、フレキシブル回路板の接続区分を端子分散区分に向けて折り曲げることにより、事前形成したフレキシブル回路板を加工することである。次に、接続区分が巻回体を形成するように、接続区分を端子分散区分に向けた方向で巻回させる。次に、巻回体がヒンジ組立体の穴を通って完全に通過するように巻回体をヒンジ組立体の穴に通し、それにより、フレキシブル回路板の伸張区分は、ヒンジ組立体の穴内に位置決めされ、第１の端部及び第２の端部はそれぞれ、ヒンジ組立体の穴の両側に置かれる。
【発明の効果】
【０００８】
本発明による構造設計及び方法を用いると、元来平面であり、過剰な幅のためにヒンジ構造体の穴に通して貫入することができなかったフレキシブル回路板を巻回して、ヒンジ組立体の穴の開口よりも小さい体積を有する巻回体を形成し、こうしてヒンジ組立体の穴に通して伸張させることができる。
【０００９】
本発明の構造体は、フレキシブル回路板の集束構造体と合わせて使用すると、１次元又は２次元ヒンジ構造体を含む多数の電子デバイスに適用可能である。例えば、ヒンジ構造体を有する携帯電話に本発明の信号伝送線を適用する際、携帯電話の画面を携帯電話の本体に対して前後回転方向又は水平回転方向で回転させた場合、本発明による信号伝送線の集束区分の複数の集束線は、個々に偏向し、曲がることが可能であり、そのため、集束線が互いにもつれたり、ねじれたりせず、信号伝送線は、前後回転により損傷を受けず、ヒンジ構造体の動作に影響しない。
【００１０】
図面を参照しながら本発明の好ましい実施形態の以下の説明を読むことによって、本発明は当業者に明らかになるであろう。
【図面の簡単な説明】
【００１１】
【図１】本発明の第１の実施形態による、フレキシブル回路板及びヒンジ組立体の貫入・組合せ構造体を示す透視図である。
【図２】本発明の第１の実施形態を使用した作業のステップを連続的に示す透視図である。
【図３】本発明の第１の実施形態を使用した作業のステップを連続的に示す透視図である。
【図４】本発明の第１の実施形態を使用した作業のステップを連続的に示す透視図である。
【図５】本発明の第１の実施形態を使用した作業のステップを連続的に示す透視図である。
【図６】本発明の第１の実施形態を使用した作業のステップを連続的に示す透視図である。
【図７】本発明の第１の実施形態を使用した作業のステップを連続的に示す透視図である。
【図８】本発明の第１の実施形態を使用した作業のステップを連続的に示す透視図である。
【図９】フレキシブル回路板における端子分散区分と接続区分との間に形成した、本発明の第１の実施形態の別の事前折り曲げ線として働く切欠きを示す図である。
【図１０】本発明の第２の実施形態による作業のステップを連続的に示す透視図である。
【図１１】本発明の第２の実施形態による作業のステップを連続的に示す透視図である。
【図１２】本発明の第２の実施形態による作業のステップを連続的に示す透視図である。
【図１３】本発明の第２の実施形態による作業のステップを連続的に示す透視図である。
【図１４】本発明の第２の実施形態による作業のステップを連続的に示す透視図である。
【図１５】本発明の第２の実施形態による作業のステップを連続的に示す透視図である。
【図１６】本発明の第３の実施形態による作業のステップを連続的に示す透視図である。
【図１７】本発明の第３の実施形態による作業のステップを連続的に示す透視図である。
【図１８】本発明の第３の実施形態による作業のステップを連続的に示す透視図である。
【図１９】本発明の第３の実施形態による作業のステップを連続的に示す透視図である。
【図２０】本発明の第３の実施形態による作業のステップを連続的に示す透視図である。
【発明を実施するための形態】
【００１２】
図面、特に図１及び図２を参照しながら、本発明の第１の実施形態によるフレキシブル回路板及びヒンジ組立体の貫入・組合せ方法を提供し、フレキシブル回路板２をヒンジ組立体１の穴１１に貫入し、ヒンジ組立体１と組み合せることを実現する。
【００１３】
フレキシブル回路板２は、第１の端部２１、第２の端部２２、及び第１の端部２１と第２の端部２２との間に伸張方向Ｉ１で伸張する伸張区分２３を備える。フレキシブル回路板２は、可撓性特性を備えるように軟質材料製である。
【００１４】
伸張区分２３は、集束構造体３を備える。集束構造体３は複数の集束線３２から構成され、複数の集束線３２は、複数の切断線３１を施してフレキシブル回路板２を伸張方向Ｉ１に切断することによって形成される。フレキシブル回路板２の第１の端部２１は、端子分散区分４及び接続区分５を備え、端子分散区分４は、第１の面４１及び第２の面４２を有し、接続区分５は、端子分散区分４と伸張区分２３との間に接続される。
【００１５】
本発明では、フレキシブル回路板２の端子分散区分４の第１の面４１及び第２の面４２は、互いに離間し、絶縁した複数の導電端子４３を備える。端子分散区分４の第２の面は、端子分散区分４を補強するために第２の面に取り付けた補強板６を備える。補強板６は、事前折り曲げ線６１を画定する側縁部を有する。
【００１６】
本発明によるフレキシブル回路板及びヒンジ組立体の貫入・組合せ方法を適用することによって、フレキシブル回路板２とヒンジ組立体１との組合せ作業が終了した後、フレキシブル回路板２の伸張区分２３は、ヒンジ組立体１の穴１１に受け入れられ、それによりフレキシブル回路板２の第１の端部２１及び第２の端部２２は、それぞれヒンジ組立体１の穴１１の両側に置かれる。
【００１７】
図２〜図８を参照すると、本発明による、フレキシブル回路板及びヒンジ組立体の貫入・組合せ方法のステップが連続的に示されている。第一に、フレキシブル回路板２の第１の端部２１の端子分散区分４と接続区分５との間に画定した事前折り曲げ線６１を中心線として利用することによって、端子分散区分４の第１の面４１に向けて折り曲げ方向Ｉ２で折り曲げを行い（図３に示すように）、端子分散区分４の第１の面４１が接続区分５に隣接するようにする。
【００１８】
次に、接続区分５を巻回方向Ｉ３で端子分散区分に向けて巻回させ（図４に示すように）、接続区分５が巻回体７を形成するようにする（図５に示すように）。この実施形態では、接続区分５が端子分散区分４に向けた方向で巻回されると、接続区分５は、端子分散区分４の第２の面４２を覆うように巻かれる。
【００１９】
その後、本発明は、巻回体７を覆い、封入するための保護スリーブ７１を施す（図６及び図７に示すように）。巻回体７がヒンジ組立体１の穴１１を通って完全に通過するように、保護スリーブ７１によって封入した巻回体７を貫入方向Ｉ４でヒンジ組立体１の穴１１に通す（図８に示すように）。したがって、図１に示すように、フレキシブル回路板２の伸張区分２３は、ヒンジ組立体１の穴１１内に位置決めされ、第１の端部２１及び第２の端部２２はそれぞれ、ヒンジ組立体１の穴１１の両側に置かれる。
【００２０】
巻回体７をヒンジ組立体１の穴１１に通した後、巻回体７を広げて接続区分５及び端子分散区分４を再度平面にする。次に、フレキシブル回路板の第１の端部２１及び第２の端部２２はそれぞれ、挿入レセプタクル又は他の構成要素に挿入するか、又はそれらに結合させることができる。
【００２１】
前の例示において、事前折り曲げ線６１は、事前折り曲げ線として働くように端子分散区分４の補強板６の側縁部を使用して形成される。代替的に、フレキシブル回路板２における端子分散区分４と接続区分５との間に形成した切欠き６２を事前折り曲げ線として使用することができる。
【００２２】
図１０〜図１５に、本発明の第２の実施形態によるフレキシブル回路板及びヒンジ組立体の貫入・組合せ方法を示す。この方法は、既に記載した実施形態のステップと実質的に同一であるステップを含んでおり、そのため同一構成要素は、一貫性を保つために同じ参照符号で示す。
【００２３】
第一に、フレキシブル回路板２の第１の端部２１の端子分散区分４と接続区分５との間に画定した事前折り曲げ線６１を中心線として利用することによって、端子分散区分４の第１の面４１に向けて折り曲げ方向Ｉ２で折り曲げを行い（図１０に示すように）、端子分散区分４の第２の面４２が接続区分５に隣接するようにする。
【００２４】
次に、接続区分５を巻回方向Ｉ３で端子分散区分４に向けて巻回させて（図１１に示すように）、接続区分５が巻回体７を形成するようにする（図１２に示すように）。
【００２５】
その後、本発明は、巻回体７を覆い、封入するための保護スリーブ７１を施す（図１３及び図１４に示すように）。巻回体７がヒンジ組立体１の穴１１を通って完全に貫通するように、保護スリーブ７１によって封入した巻回体７を貫入方向Ｉ４でヒンジ組立体１の穴１１に通す（図１５に示すように）。
【００２６】
巻回体７をヒンジ組立体１の穴１１に通した後、巻回体７を広げて接続区分５及び端子分散区分４を再度平面にする。次に、フレキシブル回路板の第１の端部２１及び第２の端部２２はそれぞれ、挿入レセプタクル又は他の構成要素に挿入するか、又はそれらに結合させることができる。
【００２７】
図１６〜図２０に、本発明の第３の実施形態による、フレキシブル回路板及びヒンジ組立体の貫入・組合せ方法を示す。この方法は、既に記載した実施形態のステップと実質的に同一であるステップを含んでおり、そのため同一の構成要素は、一貫性を保つために同じ参照符号で示す。
【００２８】
第一に、フレキシブル回路板２の接続区分５を巻回方向Ｉ３で端子分散区分４の第１の面４１の方に巻回させて（図１６に示すように）、接続区分５が巻回体７を形成するようにする（図１７に示すように）。
【００２９】
その後、本発明は、巻回体７を覆い、封入するための保護スリーブ７１を施す（図１８及び図１９に示すように）。巻回体７がヒンジ組立体１の穴１１を通って完全に通過するように、保護スリーブ７１によって封入した巻回体７を貫入方向Ｉ４でヒンジ組立体１の穴１１に通す（図２０に示すように）。
【００３０】
巻回体７をヒンジ組立体１の穴１１に通した後、巻回体７を広げて接続区分５及び端子分散区分４を再度平面にする。次に、フレキシブル回路板の第１の端部２１及び第２の端部２２はそれぞれ、挿入レセプタクル又は他の構成要素に挿入するか、又はそれらに結合させることができる。
【００３１】
本発明を好ましい実施形態を参照しながら説明してきたが、様々な修正及び変更を本発明の範囲から逸脱することなく行うことができることは当業者に明らかであり、本発明は、添付の特許請求の範囲によって定義されることを意図する。
【符号の説明】
【００３２】
１    ヒンジ組立体
２    フレキシブル回路板
３    集束構造体
４    端子分散区分
５    接続区分
６    補強板
７    巻回体
１１  穴
２１  第１の端部
２２  第２の端部
２３  伸張区分
３１  切断線
３２  収束線
４１  第１の面
４２  第２の面
４３  導電端子
６１  事前折り曲げ線
６２  切欠き
７１  保護スリーブ
【図１】
2015019060.tif 000003
【図２】
2015019060.tif 000004
【図３】
2015019060.tif 000005
【図４】
2015019060.tif 000006
【図５】
2015019060.tif 000007
【図６】
2015019060.tif 000008
【図７】
2015019060.tif 000009
【図８】
2015019060.tif 000010
【図９】
2015019060.tif 000011
【図１０】
2015019060.tif 000012
【図１１】
2015019060.tif 000013
【図１２】
2015019060.tif 000014
【図１３】
2015019060.tif 000015
【図１４】
2015019060.tif 000016
【図１５】
2015019060.tif 000017
【図１６】
2015019060.tif 000018
【図１７】
2015019060.tif 000019
【図１８】
2015019060.tif 000020
【図１９】
2015019060.tif 000021
【図２０】
2015019060.tif 000022